【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
録画機器に接続された放送受信装置であって、
所定の放送チャンネルの番組データを受信する受信手段と、
前記番組データの録画の指示入力に応じて、前記放送受信装置内のメモリに前記番組データの記録を行う第１の記録手段と、
前記番組データの録画の指示入力に応じて、前記録画機器を起動させる制御を行う起動手段と、
前記録画機器が起動した後、前記録画機器に対して、前記所定の放送チャンネルの前記番組データを受信して記録させる制御を行う第２の記録手段と、
前記録画機器が前記番組データの記録を開始した後に、前記第１の記録手段による前記メモリへの前記番組データの記録を終了させる記録終了手段と、
前記第１の記録手段により前記メモリに記録された前記番組データを前記録画機器に送信する移動手段と
を備えることを特徴とする放送受信装置。
【請求項２】
前記第１の記録手段によって記録された前記番組データの第１のファイルと、前記第２の記録手段によって記録された前記番組データの第２のファイルとが、同一番組のファイルであることを示す番組結合情報を記憶する記憶手段と、
前記記憶手段に記憶された前記番組結合情報が示す前記同一番組のファイルの再生が指示された場合に、前記録画機器に対して、前記第１のファイルを再生させる制御を行う第１の再生手段と、
前記第１のファイルの再生位置が、前記第２のファイルの先頭部に達したか否かを判定する判定手段と、
前記判定手段により前記第１のファイルの再生位置が前記第２のファイルの先頭部に達したと判定された場合に、前記録画機器に対して、前記第２のファイルを再生させる制御を行う第２の再生手段とをさらに備えることを特徴とする請求項１記載の放送受信装置。
【請求項３】
前記同一番組のファイルの再生が指示された場合に、前記録画機器から前記第２のファイルの先頭部のＧＯＰ（Ｇｒｏｕｐ  Ｏｆ  Ｐｉｃｔｕｒｅ）を抽出する抽出手段をさらに備え、
前記判定手段は、前記第１のファイルの再生位置のＧＯＰが、前記第２のファイルの先頭部のＧＯＰに達したか否かを判定することを特徴とする請求項２記載の放送受信装置。
【請求項４】
前記第１の記録手段による前記メモリへの前記番組データの記録に際し、前記メモリに空き容量があるか否かを判定する容量判定手段と、
前記容量判定手段により前記メモリに空き容量がないと判定されたときに、前記メモリ内の最も古い番組データを前記メモリから消去する消去手段とをさらに備えることを特徴とする請求項１から請求項３までのいずれか１項に記載の放送受信装置。
【請求項５】
録画機器に接続された放送受信装置であって、
所定の放送チャンネルの番組データを受信する受信手段と、
前記番組データの録画の指示入力に応じて、前記放送受信装置内のメモリに前記番組データの記録を行う第１の記録手段と、
前記番組データの録画の指示入力に応じて、前記録画機器を起動させる制御を行う起動手段と、
前記録画機器が起動した後、前記録画機器に対して、前記所定の放送チャンネルの前記番組データを受信して記録させる制御を行う第２の記録手段と、
前記録画機器が前記番組データの記録を開始した後に、前記第１の記録手段による前記メモリへの前記番組データの記録を終了させる記録終了手段と、
前記第２の記録手段により前記録画機器に記録された前記番組データの先頭部を抽出する抽出手段と、
前記第１の記録手段により前記メモリに記録された前記番組データを読み込み、読み込んだ前記番組データのうち前記抽出手段によって抽出された前記番組データの先頭部以降のデータを破棄して、前記録画機器に送信する移動手段とを備えることを特徴とする放送受信装置。
【請求項６】
録画機器と接続された放送受信装置の制御方法であって、
所定の放送チャンネルの番組データを受信する受信ステップと、
前記番組データの録画の指示入力に応じて、前記放送受信装置内のメモリに前記番組データの記録を行う第１の記録ステップと、
前記番組データの録画の指示入力に応じて、前記録画機器を起動させる制御を行う起動ステップと、
前記録画機器が起動した後、前記録画機器に対して、前記所定の放送チャンネルの前記番組データを受信して記録させる制御を行う第２の記録ステップと、
前記録画機器が前記番組データの記録を開始した後に、前記第１の記録ステップによる前記メモリへの前記番組データの記録を終了させる記録終了ステップと、
前記第１の記録ステップにより前記メモリに記録された前記番組データを前記録画機器に送信する移動ステップとを備えることを特徴とする放送受信装置の制御方法。
【請求項７】
前記第１の記録ステップによって記録された前記番組データの第１のファイルと、前記第２の記録ステップによって記録された前記番組データの第２のファイルとが、同一番組のファイルであることを示す番組結合情報を記憶手段に記憶する記憶ステップと、
前記記憶手段に記憶された前記番組結合情報が示す前記同一番組のファイルの再生が指示された場合に、前記録画機器に対して、前記第１のファイルを再生させる制御を行う第１の再生ステップと、
前記第１のファイルの再生位置が、前記第２のファイルの先頭部に達したか否かを判定する判定ステップと、
前記判定ステップにより、前記第１のファイルの再生位置が前記第２のファイルの先頭部に達したと判定された場合に、前記録画機器に対して、前記第２のファイルを再生させる制御を行う第２の再生ステップとをさらに備えることを特徴とする請求項６記載の放送受信装置の制御方法。
【請求項８】
前記同一番組のファイルの再生が指示された場合に、前記録画機器から前記第２のファイルの先頭部のＧＯＰ（Ｇｒｏｕｐ  Ｏｆ  Ｐｉｃｔｕｒｅ）を抽出する抽出ステップをさらに備え、
前記判定ステップは、前記第１のファイルの再生位置のＧＯＰが、前記第２のファイルの先頭部のＧＯＰに達したか否かを判定することを特徴とする請求項７記載の放送受信装置の制御方法。
【請求項９】
前記第１の記録ステップによる前記メモリへの前記番組データの記録に際し、前記メモリに空き容量があるか否かを判定する容量判定ステップと、
前記容量判定ステップにより前記メモリに空き容量がないと判定されたときに、前記メモリ内の最も古い番組データを前記メモリから消去する消去ステップとをさらに備えることを特徴とする請求項６から請求項８までのいずれか１項に記載の放送受信装置の制御方法。
【請求項１０】
録画機器に接続された放送受信装置の制御方法であって、
所定の放送チャンネルの番組データを受信する受信ステップと、
前記番組データの録画の指示入力に応じて、前記放送受信装置内のメモリに前記番組データの記録を行う第１の記録ステップと、
前記番組データの録画の指示入力に応じて、前記録画機器を起動させる制御を行う起動ステップと、
前記録画機器が起動した後、前記録画機器に対して、前記所定の放送チャンネルの前記番組データを受信して記録させる制御を行う第２の記録ステップと、
前記録画機器が前記番組データの記録を開始した後に、前記第１の記録ステップによる前記メモリへの前記番組データの記録を終了させる記録終了ステップと、
前記第２の記録ステップにより前記録画機器に記録された前記番組データの先頭部を抽出する抽出ステップと、
前記第１の記録ステップにより前記メモリに記録された前記番組データを読み込み、読み込んだ前記番組データのうち前記抽出ステップによって抽出された前記番組データの先頭部以降のデータを破棄して、前記録画機器に送信する移動ステップとを備えることを特徴とする放送受信装置の制御方法。
【手続補正２】
【補正対象書類名】明細書
【補正対象項目名】０００９
【補正方法】変更
【補正の内容】
【０００９】
上記目的を達成するために、本発明は、録画機器に接続された放送受信装置であって、所定の放送チャンネルの番組データを受信する受信手段と、前記番組データの録画の指示入力に応じて、前記放送受信装置内のメモリに前記番組データの記録を行う第１の記録手段と、前記番組データの録画の指示入力に応じて、前記録画機器を起動させる制御を行う起動手段と、前記録画機器が起動した後、前記録画機器に対して、前記所定の放送チャンネルの前記番組データを受信して記録させる制御を行う第２の記録手段と、前記録画機器が前記番組データの記録を開始した後に、前記第１の記録手段による前記メモリへの前記番組データの記録を終了させる記録終了手段と、前記第１の記録手段により前記メモリに記録された前記番組データを前記録画機器に送信する移動手段とを備えることを特徴とする。
【手続補正３】
【補正対象書類名】明細書
【補正対象項目名】００１０
【補正方法】変更
【補正の内容】
【００１０】
本発明によれば、番組データの録画の指示入力に応じて、放送受信装置内のメモリに番組データの記録を行い、番組データの録画の指示入力に応じて録画機器が起動した後、当該録画機器に対して、所定の放送チャンネルの番組データを受信して記録させる。また、録画機器が番組データの記録を開始した後にメモリへの番組データの記録を終了させ、メモリに記録された番組データを録画機器に送信する。
【手続補正４】
【補正対象書類名】明細書
【補正対象項目名】００７２
【補正方法】変更
【補正の内容】
【００７２】
その後、ＰＶＲ１０２を起動する起動信号をＰＶＲ１０２に送信する（起動手段）（ステップＳ５０５）。次いで、ＰＶＲ１０２が待機状態から起動状態に移行したか否かを判定し（ステップＳ５０６）、ＰＶＲ１０２が起動状態に移行した場合は、現在チューナ部２０１が受信している番組のチャンネルと同じチャンネルをＰＶＲ１０２に設定し（ステップＳ５０７）、ステップＳ５０８に進む。なお、システム制御部２０７は、ＰＶＲ１０２の動作状態に関する情報を外部機器制御部２１４を介して取得することにより、ＰＶＲ１０２が待機状態であるか起動状態であるかを判定することができる。